(57)【要約】【課題】施錠もしくは解錠状態を、手元の鍵で容易に確認することができ、そのような鍵の構造が、簡易な構造で汎用性のあるものとする。【解決手段】本発明の鍵は、施錠するために、対応する錠の鍵穴に差し込む挿入部を有する鍵本体と、前記挿入部を鍵穴内に差し込んだ状態で解錠・施錠のために廻せるように鍵本体に取り付けた把持部とを備え、鍵本体を把持部に対して所定の角度範囲内で回動させることができるように取り付けると共に、鍵本体と把持部との相対位置変位により、施錠状態もしくは解錠状態を示す表示部を設けた。【選択図】図１
2005061099.tif 000002
【特許請求の範囲】
【請求項１】
対応する錠の鍵穴に差し込み、所定の方向に所定の角度だけ廻し、ついで引き抜くことで施錠し、解錠時には反対方向に廻す操作を行って解錠するように構成された鍵において、
前記鍵は、前記鍵穴に差し込むための挿入部を有する鍵本体と、
前記鍵本体の挿入部を前記鍵穴内に差し込んだ状態で廻すために前記鍵本体に取り付けられた把持部とを備え、
前記鍵本体は、前記把持部に設けられた収容スペース内で所定の角度範囲だけ回動可能であり、前記鍵本体が前記鍵穴内で前記錠を施錠するために回動したときに前記角度範囲の一端の第１の位置に保持され、解錠するために回動したときに前記角度範囲の他端の第２の位置に保持される表示部を有し、
前記把持部は、前記表示部が前記第１の位置および前記第２の位置のいずれかにあるときにその位置を表示する表示窓を有していることを特徴とする施錠状態表示機能付き鍵。
【請求項２】
前記収容スペース内に、前記第１の位置および前記第２の位置において前記表示部と係合してその位置に安定に保持するための板バネが設けられていることを特徴とする請求項１に記載の施錠状態表示機能付き鍵。
【請求項３】
前記表示部には、鏡、偏光グラス、ホログラムの何れかを設け、前記把持部に対する前記表示部の相対角度の違いに対応させて、施錠状態が識別可能に構成されていることを特徴とする請求項１または２に記載の施錠状態表示機能付き鍵。
【請求項４】
対応する錠の鍵穴に差し込み、所定の方向に所定の角度だけ廻し、ついで引き抜くことで施錠し、解錠時には反対方向に廻す操作を行って解錠するように構成された鍵において、
前記鍵は、前記鍵穴に差し込むための挿入部を有する鍵本体と、
前記鍵本体の挿入部を前記鍵穴内に差し込んだ状態で廻すために前記鍵本体に取り付けた把持部と、
前記把持部の下端面もしくは前記鍵本体の上端面に設けた表示部材とを備え、
前記把持部は、前記鍵本体に対し所定の角度範囲内で回動するように取り付けられ、前記挿入部を前記鍵穴内に挿入し前記錠を施錠するために回動させたときに、前記把持部が、前記角度範囲の一端の第１の位置に保持され、解錠するために回動したときに前記角度範囲の他端の第２の位置に保持されるようにし、
前記把持部が、前記第１の位置および前記第２の位置のいずれかにあるときに、前記表示部材を露出させて、施錠状態もしくは解錠状態が確認できるようにしたことを特徴とする施錠状態表示機能付き鍵。
【請求項５】
前記把持部の表面には、前記表示部材に対応する表記部が設けられていることを特徴とする請求項４に記載の施錠状態表示機能付き鍵。
【発明の詳細な説明】
【技術分野】
【０００１】
本発明は、施錠、解錠状態が確認できるようにした鍵に関する。
【背景技術】
【０００２】
シリンダー錠のような一般の鍵は、その鍵穴に鍵を差し込んで所定の角度だけ回転させ、そのまま、あるいは元の位置まで逆方向に回転させてから鍵を引き抜くことにより解錠または施錠が行われるようになっている。この形態の錠は、回転させることにより施錠、解錠を行うことができるものであり、施錠したことを確認するためには、ドアのノブを引くことにより、ドアが開かないことを確認したり、また、ドアの錠が施錠されているか否かを、外部から視認できるように、ドアの鍵穴部分に表示体を設けている。しかしながら、このような表示機構を設けた場合でも、この錠の見えない位置まで移動した後には、施錠・解錠の状態を知ることができない。また、ドアの錠が施錠されていることを確認したとしても、施錠した記憶が薄れることにより、その場を離れた後に不安を感じることは多々あることである。
このような不安を回避するために、鍵に施錠・解錠状態を表示するようにしたものが提案されている。例えば、特開平１０−２９２６８３号公報には、施錠が行われたかどうかを識別するようにした鍵構造が開示されている。この公報に記載された発明では、鍵穴の周囲の非回転部分に磁石を取り付け、鍵にはこの磁石と吸引もしくは反発するように磁石を取り付けた回転板を設け、鍵が解錠位置と施錠位置の間で回動するのに応じて、磁石の作用で回転板を回転させ、この回転板に設けられた「閉」の文字または「開」の文字のいずれかを表示するように構成されている。
【特許文献１】特開平１０−２９２６８３号公報
【発明の開示】
【発明が解決しようとする課題】
【０００３】
上述した発明においては、鍵穴の周囲の非回転部分に、磁石等の表示変更手段を設け、その表示変更手段で、鍵の一部に設けた表示体を変更するように構成されている。しかし、表示変更手段を鍵穴の周囲の非回転部分に設けなければならないという事情や、その表示変更手段に対応させた鍵の構造にしなければならないという不都合があった。本発明は、従来の有するこのような問題点に鑑みてなされたものであり、その目的とするところは、施錠もしくは解錠状態を、手元の鍵で容易に確認することができ、そのような鍵の構造が、簡易な構造で汎用性のあるものとする。
【課題を解決するための手段】
【０００４】
本発明の施錠状態表示機能付き鍵は、対応する錠の鍵穴に差し込み、所定の方向に所定の角度だけ廻し、ついで引き抜くことで施錠し、解錠時には反対方向に廻す操作を行って解錠するように構成された鍵において、前記鍵は、前記鍵穴に差し込むための挿入部を有する鍵本体と、前記鍵本体の挿入部を前記鍵穴内に差し込んだ状態で廻すために前記鍵本体に取り付けられた把持部とを備え、前記鍵本体は、前記把持部に設けられた収容スペース内で所定の角度範囲だけ回動可能であり、前記鍵本体が前記鍵穴内で前記錠を施錠するために回動したときに前記角度範囲の一端の第１の位置に保持され、解錠するために回動したときに前記角度範囲の他端の第２の位置に保持される表示部を有し、前記把持部は、前記表示部が前記第１の位置および前記第２の位置のいずれかにあるときにその位置を表示する表示窓を有していることを特徴とする。上記の施錠状態表示機能付き鍵において、好ましくは、収容スペース内に、第１の位置および第２の位置において表示部と係合してその位置に安定に保持するための板バネが設けられる。前記表示部には、鏡、偏光グラス、ホログラムの何れかを設け、前記把持部に対する前記表示部の相対角度の違いに対応させて、施錠状態が識別可能に構成されていることを特徴とする。
また、本発明の施錠状態表示機能付き鍵は、対応する錠の鍵穴に差し込み、所定の方向に所定の角度だけ廻し、ついで引き抜くことで施錠し、解錠時には反対方向に廻す操作を行って解錠するように構成された鍵において、前記鍵は、前記鍵穴に差し込むための挿入部を有する鍵本体と、前記鍵本体の挿入部を前記鍵穴内に差し込んだ状態で廻すために前記鍵本体に取り付けた把持部と、前記把持部の下端面もしくは前記鍵本体の上端面に設けた表示部材とを備え、前記把持部は、前記鍵本体に対し所定の角度範囲内で回動するように取り付けられ、前記挿入部を前記鍵穴内に挿入し前記錠を施錠するために回動させたときに、前記把持部が、前記角度範囲の一端の第１の位置に保持され、解錠するために回動したときに前記角度範囲の他端の第２の位置に保持されるようにし、前記把持部が、前記第１の位置および前記第２の位置のいずれかにあるときに、前記表示部材を露出させて、施錠状態もしくは解錠状態が確認できるようにしたことを特徴とする。前記把持部の表面には、前記表示部材に対応する表記部が設けられていることを特徴とする。
【発明の効果】
【０００５】
本発明の施錠状態表示機能付き鍵は、この鍵を用いて施錠・解錠することができる錠が、施錠状態にあるか、あるいは解錠状態にあるかを確実に表示することができるので、本来、安全のために使用することが前提となっている鍵本来の安全性を確保できるとともに、施錠したかどうかの記憶が判然としないような場合でも、鍵の表示を見ることで施錠・解錠状態を確認することができるので、使用者を不要な心配から解放するという効果が得られる。表示部と係合してその位置に安定に保持するための板バネを設ける構造で施錠・解錠状態が維持され、また、表示部には、鏡、偏光グラス、ホログラムの何れかを設け、把持部に対する表示部の相対角度の違いに対応させて、施錠状態が識別可能に構成されているので、簡易な構造で汎用性のある施錠状態表示機能付き鍵となる。
また、把持部の下端面もしくは鍵本体の上端面に表示部材を設けた鍵については、把持部が鍵本体に対し所定の角度範囲内で回動するように取り付けられており、把持部を廻すことにより、表示部材が露出するようになるので、簡易な構造で施錠状態もしくは解錠状態が確認できるような鍵になる。このような鍵においては、把持部の表面に表示部材に対応する表記部を設けるのがよい。
【発明を実施するための最良の形態】
【０００６】
簡易な構造で鍵に施錠状態表示機能を付与するという目的を達成するために、本発明の鍵は、施錠するために、対応する錠の鍵穴に差し込む挿入部を有する鍵本体と、前記挿入部を鍵穴内に差し込んだ状態で解錠・施錠のために廻せるように鍵本体に取り付けた把持部とを備え、鍵本体を把持部に対して所定の角度範囲内で回動させることができるように取り付けると共に、鍵本体と把持部との相対位置変位により、施錠状態もしくは解錠状態を示す表示部を設けた。
【実施例１】
【０００７】
図１は、本発明に基づく施錠状態表示機能を有する鍵の平面図であり、図中の符号１は鍵本体、符合２はこの鍵本体１の基端側に取り付けられた把持部を示す。鍵本体１は、対応するシリンダー錠のような錠（図示せず）の鍵穴に差し込み、所定の方向、例えば時計方向に所定の角度だけ廻し、ついで元の位置まで反対方向に廻した後に鍵穴から引き抜くことで施錠するためのもので、錠に合致する凹凸が形成されている挿入部１１と、固定部１３を介して、挿入部１１を廻すための基部１２とを備えている。更に、錠本体１の基部１２は、挿入部１１の両側縁よりも外側に表示体１４（図２参照）を有している。
【０００８】
一方、把持部２は、図２に示すように、鍵本体１の基部１２と表示体１４とを収容する収容スペース２３を有していて、この収容スペース２３内には、基部１２が回動する支点を提供する突起２５が設けられている。これにより、鍵本体１が、この収容スペース２３内で所定の角度範囲だけ回動できるようになっている。また、基部１２に設けられた表示体１４を、その回動範囲の一端もしくは他端に弾性的に保持するための板バネ２４が設けられている。
【０００９】
板バネ２４は、表示体１４をその回動範囲の一端もしくは他端に保持しておくためのものであり、板バネ２４に代えて、例えば収容スペース２３の内壁から適当な高さの突起を設ける等の他の手段で代替することも可能である。さらに把持部２には、その外面から収容スペース２３に貫通する表示窓２６が形成されている。この表示窓２６は、基部１２の一方の表面に設けられた表示体１４を外部から透視するのを可能にするためのもので、単なる孔であってもよいが、この例では、透明プラスチックの円柱体が埋め込まれている。表示体１４は、表示窓２６に最も接近した位置にあるときに、その存在を表示窓２６を通して外部から視覚的に認識できるような表示であり、例えば赤色のマークである。
【００１０】
図２に示した状態は、この鍵で対応する錠（図示せず）を施錠した後の状態に対応する。すなわち、鍵本体１の挿入部１１を、対応する錠の鍵穴に差し込み、把持部２を摘んでその回動範囲の一端まで右廻しに廻して施錠すると共に、把持部２内で表示体１４を図示の表示位置（第１の位置）まで回動させた状態を示している。
【００１１】
この状態で表示体１４は、把持部２の収容スペース２３内における回動範囲の一端の施錠位置に置かれ、この状態が収容スペース２３内に設けられた板バネ２４とと基部１２との係合によって安定に保持されている。この施錠位置で表示体１４は、把持部２に設けられた表示窓２６に密着した位置に保持されるので、この表示窓２６を通して、対応する錠が施錠されていることを外部から容易に目視で確認することができる。
【００１２】
一方、施錠表示状態にある鍵を用いて、対応する錠を解錠するために、鍵本体１を錠の鍵穴に差し込み、把持部２を摘んでこれを反時計方向（左廻し）に廻す操作を行うと、その過程で、あるいは回動範囲の一端に達した後にさらに同方向に廻すことにより、鍵本体１の基部１２及び表示体１４が、把持部２の収容スペース２３内で、板バネ２４を乗り越えて時計方向に回動して、図２の想像線で示す位置（第２の位置）に達し、その位置に安定に保持される。この状態で表示体１４は、表示窓２６から離れた位置に移動するので、表示窓２６から見えなくなり、解錠が行われたことを表示する。
さらに、表示体１４が非表示位置に移動した状態で、これが表示窓２６から確実に見えなくなるように、赤色のマークの表面に偏光グラスもしくは偏光フィルターを被せ、表示窓２６を直視した状態で、表示体１４の傾斜角度相違から、赤色のマークが見えなくなるようにすることもできる。また、表示体１４は、把持部２に対し相対角度の異なる施錠状態と解錠状態とがあることから、鏡やホログラムを利用して、彩色や絵柄が好適に現出するようにしてもよい。
【００１３】
なお、上記の実施例では、鍵本体１として、その基部１２に表示体１４を設け、通常の鍵とは異なる形態のものを示したが、通常の鍵のツマミ部分を収容し得る大きさの収容スペースを設けた把持部を用意し、通常の鍵のツマミ部分にシールを貼る等の手段で表示体を設け、このツマミ部分にかぶせるように把持部を取り付けることにより、図１および図２に示したものと同等の構成の施錠状態表示機能を有する鍵を構成することも可能である。
【実施例２】
【００１４】
図３は、実施例２における施錠状態表示機能付き鍵の平面図である。この実施例２の鍵は、鍵穴に差し込むための挿入部１１及びその基端側に固定部１３を設けて形成された鍵本体１と、鍵本体１の中心線上に固着させて設けた軸体３１と、前記軸体３１を軸として所定の角度だけ回動するように設けた把持部２と、を備え、固定部１３の把持部２側の左右の壁面（鍵本体の上端面）には表示部材３４ａ、３４ｂが設けられ、把持部２の表面の左右には表記部３３ａ、３３ｂが設けられている。これにより、鍵を鍵穴内に差し込んだ状態で廻した際には、把持部２が、鍵本体１より所定の角度だけ回動し、固定部１３に設けられた表示部材３４ａ、３４ｂが露出するようになっている。
【００１５】
図４は、鍵を左側に廻して解錠した状態を示す鍵の正面図である。この図４に示すように、露出した左側の表示部材３４ａは、把持部２の表記部３３ａより前方にあることから、解錠状態にあることが示される。また、図は省略するが、鍵を右側に廻して施錠した状態では、右側の表示部材３４ｂが把持部２の表記部３３ｂより前方に露出することになり、施錠状態にあることが示される。このような解錠状態もしくは施錠状態を示す表示は、表記部３３ａと左側の表示部材３４ａとを同色の色彩で彩り、また、色を変えて表記部３３ｂと左側の表示部材３４ｂとを同色の色彩で彩ること等により好適に実施される。
【００１６】
表示部材３４ａ、３４ｂの露出状態は、把持部２の内部に設けられた保持部３２によって安定的に保持される。保持部３２は軸体３１と嵌合するように設けられ、鍵本体１と把持部２とを連結し、鍵本体１の回動が解錠状態、施錠状態、および、中間状態の３段階の状態を取り得るように形成されている。また、それぞれの状態が保持されるようにしたものであり、各段階への移動は、手による回転力で切り替えられる程度の抵抗を備えている。このような保持部３２は、筒状の内壁に凹部を３箇所設け、凸部を１個所設けた軸体３１を抜け止めして嵌合させて形成すること等により好適に形成される。
【００１７】
また図示の鍵の構造および形状は単なる例示であり、本発明はシリンダー錠に限らず、鍵穴に差し込んで所定の方向に廻すことで施錠し、これとは反対方向に廻すことで解錠できる構造の錠であれば、その種類を問わずに適用可能である。
【産業上の利用可能性】
【００１８】
本発明の施錠状態表示機能を有する鍵は、この鍵を用いて施錠・解錠される錠が施錠されているか、あるいは解錠されたままであるかを容易に確認できるので、広範な鍵に適用して、鍵の閉め忘れによる不慮の事態の回避に役立つ。
【図面の簡単な説明】
【００１９】
【図１】実施例１における施錠状態表示機能付き鍵を示す平面図である。
【図２】図１のＡ−Ａ線における拡大断面図である。
【図３】実施例２における施錠状態表示機能付き鍵を示す平面図である。
【図４】解錠した状態を示す鍵の正面図であり。
【符号の説明】
【００２０】
１  鍵本体
２  把持部
１１  挿入部
１２  基部
１３  固定部
１４  表示体
２１  固定部
２３  収容スペース
２４  板バネ
２５  突起
２６  表示窓
３１  軸体
３２  保持部
３３ａ、３３ｂ  表記部
３４ａ、３４ｂ  表示部材
【図１】
2005061099.tif 000003
【図２】
2005061099.tif 000004
【図３】
2005061099.tif 000005
【図４】
2005061099.tif 000006